(57)【特許請求の範囲】
【請求項１】
遊技盤を取り付け可能な本体と、
前記本体に設けられた第一のコネクタと、
前記遊技盤に設けられた第二のコネクタと、
前記本体に設けられた第三のコネクタと、
前記遊技盤に設けられた第四のコネクタと、
を備えた遊技台であって、
前記第一のコネクタは、前記第二のコネクタと電気的に接続可能なものであり、
前記第三のコネクタは、前記第四のコネクタと電気的に接続可能なものであり、
前記第二のコネクタは、前記遊技盤の両側端のうちの第一の端よりも第二の端に近い位置に設けられたものであり、
前記第四のコネクタは、前記第一の端よりも前記第二の端に近い位置に設けられたものであり、
前記第二のコネクタの少なくとも一部は、前記遊技盤が前記本体に取り付けられた状態において、前記第四のコネクタよりも後方に位置するものであり、
前記第二のコネクタおよび前記第四のコネクタのうちの少なくとも一方のコネクタは、前記遊技盤の上端側よりも下端側に近い位置に設けられたものである、
ことを特徴とする遊技台。
【請求項２】
請求項１に記載の遊技台において、
前記第一のコネクタおよび前記第二のコネクタのうちの少なくとも一方のコネクタは、フローティングコネクタであり、
前記第三のコネクタおよび前記第四のコネクタのうちの少なくとも一方のコネクタは、フローティングコネクタである、
ことを特徴とする遊技台。
【請求項３】
請求項２に記載の遊技台において、
前記フローティングコネクタは、該フローティングコネクタと電気的に接続可能なコネクタの接続面に対して、少なくとも平行な面内で移動可能なものである、
ことを特徴とする遊技台。
【請求項４】
請求項１ないし３のうちのいずれか１項に記載の遊技台において、
前記第三のコネクタの一部は、前記遊技盤が前記本体に取り付けられた状態において、前記第一のコネクタよりも前方に位置するものである、
ことを特徴とする遊技台。
【請求項５】
請求項１ないし４のうちのいずれか１項に記載の遊技台において、
前記第二のコネクタの一部は、前記第二のコネクタの先端であり、
前記第二のコネクタの前記先端は、該第二のコネクタにおける最も前記後方に位置するものである、
ことを特徴とする遊技台。
【請求項６】
請求項１ないし５のうちのいずれか１項に記載の遊技台において、
前記第二のコネクタが前記第一のコネクタに押し付けられて接続することで前記第二のコネクタと前記第一のコネクタとが電気的に接続し、
前記第四のコネクタが前記第三のコネクタに押し付けられて接続することで前記第四のコネクタと前記第三のコネクタとが電気的に接続する、
ことを特徴とする遊技台。
【請求項７】
請求項１ないし６のうちのいずれか１項に記載の遊技台において、
前記遊技盤の前方に遊技領域が設けられており、
前記後方は、前記前方の逆側である、
ことを特徴とする遊技台。
【請求項８】
請求項１ないし７のうちのいずれか１項に記載の遊技台において、
前記遊技盤は、第一の基板を有し、
前記遊技盤は、第二の基板を有し、
前記第一の基板には、前記第二のコネクタが設けられており、
前記第二の基板には、前記第四のコネクタが設けられている、
ことを特徴とする遊技台。
【請求項９】
請求項１ないし８のうちのいずれか１項に記載の遊技台において、
前記第二のコネクタにおける前記第一のコネクタとの接続面の長辺の長さは、第一の長さであり、
前記第四のコネクタにおける前記第三のコネクタとの接続面の長辺の長さは、第二の長さであり、
前記第一の長さは、前記第二の長さと異なる、
ことを特徴とする遊技台。
【請求項１０】
請求項１ないし９のうちのいずれか１項に記載の遊技台において、
前記遊技盤は、遊技動作の制御を少なくとも実行可能な主制御部を構成する主基板を備え、
前記遊技盤は、前記主制御部の指令により制御を少なくとも実行可能な副制御部を構成する副基板を備え、
前記第二のコネクタおよび前記第四のコネクタは、前記遊技盤の前記主基板および前記副基板が配置される領域と異なる領域に配置される、
ことを特徴とする遊技台。
【発明の詳細な説明】
【技術分野】
【０００１】
本発明は、パチンコ機やスロットマシン（パチスロ機）、封入式遊技機に代表される遊技台に関する。
【背景技術】
【０００２】
従来、パチンコ機などの遊技台では、遊技盤の遊技領域に、遊技球が入賞可能な始動口と、複数個の図柄を変動表示可能な図柄表示部を備え、始動口に遊技球が入賞すると、図柄表示部の図柄を所定時間変動して、変動後の図柄が予め定めた特定図柄の組み合わせである特定態様になった場合に、可変入賞手段を所定時間開放させる等、遊技者に有利な遊技状態を発生させるようにしている。
【０００３】
特許文献１では、遊技機において、制御基板同士をハーネスで接続する構成を開示している。
【先行技術文献】
【特許文献】
【０００４】
【特許文献１】特開２０１０−１１０４１０号公報
【発明の概要】
【発明が解決しようとする課題】
【０００５】
ところで、特許文献１に記載のような遊技台においては、ハーネスを用いた複雑な配線を行っていたが、複雑な配線を減らすことによりメンテナンス性を向上させてほしいといった要望が高まっている。
【０００６】
また、コネクタの取り付けや取り外しを容易にすることにより、メンテナンス性を向上させて欲しいといった要望も高まっている。
【０００７】
本発明の目的は、メンテナンス性を向上させることができる遊技台を提供することにある。
【課題を解決するための手段】
【０００８】
本発明は上記の目的を達成するために、遊技盤を取り付け可能な本体と、前記本体に設けられた第一のコネクタと、前記遊技盤に設けられた第二のコネクタと、前記本体に設けられた第三のコネクタと、前記遊技盤に設けられた第四のコネクタと、を備えた遊技台であって、前記第一のコネクタは、前記第二のコネクタと電気的に接続可能なものであり、前記第三のコネクタは、前記第四のコネクタと電気的に接続可能なものであり、前記第二のコネクタは、前記遊技盤の両側端のうちの第一の端よりも第二の端に近い位置に設けられたものであり、前記第四のコネクタは、前記第一の端よりも前記第二の端に近い位置に設けられたものであり、前記第二のコネクタの少なくとも一部は、前記遊技盤が前記本体に取り付けられた状態において、前記第四のコネクタよりも後方に位置するものであり、前記第二のコネクタおよび前記第四のコネクタのうちの少なくとも一方のコネクタは、前記遊技盤の上端側よりも下端側に近い位置に設けられたものである、ことを特徴とする。
【発明の効果】
【０００９】
本発明によれば、メンテナンス性を向上させた遊技台を提供することができる。
【図面の簡単な説明】
【００１０】
【図１】パチンコ機１００を正面側（遊技者側）から見た外観斜視図である。
【図２】図１のパチンコ機１００を背面側から見た外観図である。
【図３】遊技盤２００を正面から見た略示正面図である。
【図４】本発明に係るコネクタ接続の構成の第１の実施例を示す斜視図である。
【図５】（ａ）は、図４に示したコネクタ接続の構成を上方から見た平面図であり、（ｂ）は、（ａ）に示したＡ−Ａ断面図である。
【図６】本発明に係るコネクタ接続の構成の第２の実施例を示す斜視図であり、パチンコ機１００の遊技盤２００を開いた状態を示す図である。
【図７】図６のパチンコ機１００の遊技盤２００を閉じた状態の正面図である。
【図８】図７のＢ−Ｂ断面図であり、（ａ）は遊技盤２００を取り外した状態を示す図であり、（ｂ）は遊技盤２００の一端を、遊技盤２００を回転支持する本体１０４の支持部１０４ｄに取り付け、遊技盤２００を開いた状態を示す図であり、（ｃ）は遊技盤２００を閉じ、遊技盤２００を本体１０４の収容部１０４ｅに収容した状態を示す図である。
【図９】本発明に係るコネクタ接続の構成の第３の実施例を示す図であって、図８の断面図に相当する図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【図１０】図９のコネクタ部分を拡大して示す図である。
【図１１】本発明に係るコネクタ接続の構成の第４の実施例を示す斜視図であり、パチンコ機１００の遊技盤２００を開いた状態を示す図である。
【図１２】図１１のパチンコ機１００の遊技盤２００を閉じた状態の正面図である。
【図１３】図１２のＣ−Ｃ断面図であり、（ａ）は遊技盤２００の一端を、遊技盤２００を回転支持する本体１０４の支持部１０４ｄに取り付け、遊技盤２００を開いた状態を示す図であり、（ｃ）は遊技盤２００を閉じ、遊技盤２００を本体１０４の収容部１０４ｅに収容した状態を示す図である。
【図１４】（ａ）は、図１１のパチンコ機１００の遊技盤２００を外した本体１０４の正面図であり、（ｂ）は、図１１のパチンコ機１００の本体１０４から外した遊技盤２００の背面図であり、（ｃ）は、（ｂ）に示した一転鎖線の円Ｄで囲った箇所を拡大して示す図である。
【図１５】本発明に係るコネクタ接続の構成の第５の実施例を示す斜視図であり、パチンコ機１００の遊技盤２００を開いた状態を示す図である。
【図１６】図１５のパチンコ機１００の遊技盤２００を閉じた状態の正面図である。
【図１７】図１６のＥ−Ｅ断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ初め、遊技盤２００のコネクタと本体１０４のコネクタとが接した状態を示す図であり、（ｃ）は遊技盤２００を閉じ、遊技盤２００を本体１０４の収容部１０４ｅに収容した状態を示す図である。
【図１８】図１５のパチンコ機１００におけるコネクタの配置の別の例を示す図であって、（ａ）は、図１５のパチンコ機１００の遊技盤２００を外した本体１０４の正面図であり、（ｂ）は、図１５のパチンコ機１００の本体１０４から外した遊技盤２００の背面図である。
【図１９】図１５のパチンコ機１００におけるコネクタの配置の別の例を示す図であって、（ａ）は、図１５のパチンコ機１００の遊技盤２００を外した本体１０４の正面図であり、（ｂ）は、図１５のパチンコ機１００の本体１０４から外した遊技盤２００の背面図である。
【図２０】本発明に係るパチンコ機１００の具体的構成の一例を示す正面図である。
【図２１】図２０に示したパチンコ機１００を示す図であり、（ａ）はパチンコ機１００における、前面枠扉１０６を開いて遊技盤２００を取り外した状態の本体１０４を示す図であり、（ｂ）は遊技盤２００の背面図である。
【図２２】図２１に示した遊技盤２００を本体１０４に収容する様子を示す図であって、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【図２３】図２２に示した支持部１０４ｄの近傍を示す斜視図である。
【図２４】本体１０４側のコネクタと遊技盤２００側のコネクタの詳細を示す斜視図であり、（ａ）は遊技盤２００側のコネクタの周辺構成を分解した状態を示す図であり、（ｂ）は遊技盤２００側のコネクタの周辺構成を組み立てた状態を示す図である。
【図２５】（ａ）は図２４（ａ）の背面斜視図であり、（ｂ）は図２４（ｂ）の背面斜視図である。
【図２６】本体１０４に取り付ける遊技盤固定具８００の詳細を示す図であり、（ａ）は遊技盤固定具８００の開口を下に向けた状態を示す斜視図であり、（ｂ）は遊技盤固定具８００の作動レバー部８０２の面側から見た正面図である。
【図２７】図２６に示した遊技盤固定具８００の分解斜視図である。
【図２８】遊技盤２００を本体１０４に収容し、遊技盤固定具８００によって固定する動作を説明する図であって、（ａ）は、遊技盤固定具８００の開口に遊技盤２００が挿入された状態を示す側面図であり、（ａ）’は、（ａ）の状態における、図２６（ｂ）のＦ−Ｆ位置での側断面図であり、（ｂ）は、（ａ）に続く状態であって遊技盤２００の収容が進んだ状態を示す側面図であり、（ｂ）’は、（ｂ）の状態における、図２６（ｂ）のＦ−Ｆ位置での側断面図であり、（ｃ）は、（ｂ）に続く状態であって遊技盤２００の収容が完了した状態を示す側面図であり、（ｃ）’は、（ｃ）の状態における、図２６（ｂ）のＦ−Ｆ位置での側断面図である。
【図２９】、第７の実施例において、パチンコ機１００の外枠１０２から本体１０４を開いた状態を示す斜視図である。
【図３０】図２９のパチンコ機１００において、本体１０４の下部が見えるように下側から見た斜視図である。
【図３１】図２９のパチンコ機１００において、コネクタ近傍を拡大して示す斜視図であり、（ａ）は本体１０４側のコネクタ近傍を示す図であり、（ｂ）は外枠１０２側のコネクタ近傍を示す図である。
【図３２】図２９のパチンコ機１００において、コネクタ近傍を拡大して示す斜視図であり、（ａ）は外枠１０２側のコネクタに本体１０４側のコネクタが接続される様子を示す図であり、（ｂ）は外枠１０２側のコネクタに本体１０４側のコネクタを接続した状態を示す図である。
【図３３】コネクタ８１０が実装された基板８１１が部品８１２に取り付けられている場合であって、コネクタ８１０が対向するコネクタと接触する接触部の面が、部品８１２の段差面よりも、対向するコネクタに近い場合を説明する概略側面図である。
【図３４】コネクタ８１０が実装された基板８１１が部品８１２に取り付けられている場合であって、コネクタ８１０が対向するコネクタと接触する接触部の面が、部品８１２の段差面よりも、対向するコネクタから遠い場合を説明する概略側面図である。
【図３５】コネクタ８１０が実装された基板８１１が部品８１２に取り付けられている場合であって、コネクタ８１０が対向するコネクタと接触する接触部の面のうちの少なくとも一点が、部品８１２の段差面よりも、対向するコネクタから遠く、基板８１１と部品８１２の段差面とが所定の角度θを有する場合を説明する概略側面図である。
【図３６】コネクタ８１０が実装された基板８１１が部品８１２に取り付けられている場合であって、コネクタ８１０が対向するコネクタと接触する接触部の面のうちの少なくとも一点が、部品８１２の段差面よりも、対向するコネクタに近く、基板８１１と部品８１２の段差面とが所定の角度θを有する場合を説明する概略側面図である。
【発明を実施するための形態】
【００１１】
以下、図面を用いて、本発明の実施形態に係る遊技台（例えば、パチンコ機１００等の弾球遊技機やスロット機等の回胴遊技機）について詳細に説明する。
【００１２】
＜全体構成＞
まず、図１を用いて、本発明の実施形態１に係るパチンコ機１００の全体構成について説明する。なお、同図はパチンコ機１００を正面側（遊技者側）から見た外観斜視図である。
【００１３】
パチンコ機１００は、外部的構造として、外枠１０２と、本体１０４と、前面枠扉１０６と、球貯留皿付扉１０８と、発射装置１１０と、遊技盤２００と、をその前面に備える。
【００１４】
外枠１０２は、遊技機設置営業店に設けられた設置場所（島設備等）へと固定させるための縦長方形状から成る木製の枠部材である。
【００１５】
本体１０４は、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。
【００１６】
前面枠扉１０６は、ロック機能付きで且つ開閉自在となるようにパチンコ機１００の前面側となる本体１０４の前面に対しヒンジ部１１２を介して装着され、枠状に構成されることでその内側を開口部１１６とした扉部材である。なお、この前面枠扉１０６には、開口部１１６にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。
【００１７】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を不図示の遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６（図３参照）の演出態様に変化を与えるチャンスボタン１３６と、チャンスボタン１３６を発光させるチャンスボタンランプ１３８と、遊技店に設置された不図示のカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。
【００１８】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１９】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部１１６から観察することができる。
【００２０】
図２は、図１のパチンコ機１００を背面側から見た外観図である。
【００２１】
図２に示すように、パチンコ機１００の背面上部には、上方に開口した開口部を有し、遊技球を一時的に貯留するための球タンク１５０と、球タンク１５０の下方に位置し、球タンク１５０の底部に形成した連通孔を通過して落下する球を背面右側に位置する球通路１９４および払出装置１５２に導くためのタンクレール１５４とを配設している。
【００２２】
タンクレール１５４はツインレールとも称され、例えば第１副基板１６０と少なくとも一部が前後方向に重畳するように配置されている。本実施の形態によるパチンコ機１００では、部材の配置領域を節約するため、制御基板にノイズを与える恐れのあるタンクレール１５４が第１副基板１６０に重畳して配置されている。しかしながら、パチンコ機１００は、タンクレール１５４にノイズ対策が施されている場合、タンクレール１５４と第１副基板１６０とが重畳して配置されていても、第１副基板１６０のノイズによる影響を軽減することができる場合がある。また、タンクレール１５４にはノイズ対策が施されているので、タンクレール１５４の側面を絶縁性の透明部材で形成することができる。これにより、タンクレール１５４がパチンコ機１００に設置された場合に、パチンコ機１００背面側に位置するタンクレール１５４の側面を透して、タンクレール１５４での遊技球の流下状況を目視により確認することができる場合がある。
【００２３】
球通路１９４は、パチンコ機１００を背面側から見て、本体１０４（図１参照）の右側部に上下方向に伸びて配置されている。球通路１９４の一端はタンクレール１５４に接続され、他端は払出装置１５２に接続されている。球通路１９４は直方体形状を有している。球通路１９４はタンクレール１５４を通過した遊技球を払出装置１５２に導くようになっている。球通路１９４の内部には、例えば払出装置１５２側に向かって傾斜する平板状部材が一対の対向側面に反ピッチずれて交互にそれぞれ形成された構造の遊技球案内通路（不図示）が形成されている。球通路１９４は、遊技球案内通路を備えることにより、当該案内通路を有しない空洞構造の場合と比較して、多くの遊技球を貯留できるようになっている。さらに、球通路１９４は、遊技球案内通路を備えることにより、払出装置１５２に遊技球を１個ずつ順次送出できるようになる。球通路１９４は、払出装置１５２の近傍にメカスイッチである球抜き手段１９７を有している。球通路１９４で遊技球の球詰まりが発生した場合に、遊技店員は、球抜き手段１９７を操作して、球詰まりした遊技球を球通路１９４の外部に排出できるようになっている。
【００２４】
払出装置１５２は、筒状の部材からなり、その内部には、不図示の払出モータとスプロケットと払出センサとを備えている。スプロケットは、払出モータによって回転可能に構成されており、タンクレール１５４および球通路１９４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００２５】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部６００へ出力する。なお、この払出センサを通過した遊技球は、不図示の球レールを通過してパチンコ機１００の表側に配設した払出通路１２１（図１参照）から上皿１２６に到達するように構成しており、パチンコ機１００は、この構成により遊技者に対して球の払い出しを行う。
【００２６】
球通路１９４および払出装置１５２の図中左側には、遊技全般の制御処理を行う主制御部３００を構成する主基板１５６を収納する主基板ケース１５８、主制御部３００が生成した処理情報に基づいて演出に関する制御処理を行う第１副制御部４００を構成する第１副基板１６０を収納する第１副基板ケース１６２、第１副制御部４００が生成した処理情報に基づいて演出に関する制御処理を行う第２副制御部５００を構成する第２副基板１６４を収納する第２副基板ケース１６６、遊技球の払出に関する制御処理を行う払出制御部６００を構成するとともに遊技店員の操作によってエラーを解除するエラー解除スイッチ１６８を備える払出基板１７０を収納する払出基板ケース１７２、遊技球の発射に関する制御処理を行う発射制御部６３０を構成する発射基板１７４を収納する発射基板ケース１７６、各種電気的遊技機器に電源を供給する電源制御部６６０を構成するとともに遊技店員の操作によって電源をオンオフする電源スイッチ１７８と電源投入時に操作されることによってＲＷＭクリア信号を主制御部３００に出力するＲＷＭクリアスイッチ１８０とを備える電源基板１８２を収納する電源基板ケース１８４、および払出制御部６００とカードユニットとの信号の送受信を行うＣＲインタフェース部１８６を配設している。発射基板ケース１７６は電源基板ケース１８４の下方に広がって設けられている。電源基板ケース１８４は、その背面側から見て、発射基板ケース１７６の一部に重なって配置されている。電源基板ケース１８４は払出基板ケース１７２の下方に広がって設けられている。払出基板ケース１７２は、背面側から見て、電源基板ケース１８４および発射基板ケース１７６のそれぞれの一部に重なって配置されている。ＣＲインタフェース部１８６は、例えばＤ−ｓｕｂ（Ｄ−ｓｕｂｍｉｎｉａｔｕｒｅ）コネクタで構成されたＣＲユニット接続部１８６ａを有している。ＣＲインタフェース部１８６は、ＣＲユニット接続部１８６ａを介して払出制御部６００とカードユニットとの信号の送受信を行うようになっている。
【００２７】
パチンコ機１００は、その背面側から見て、球タンク１５０の右側であってタンクレール１５４の上方に外部端子基板１９６を有している。外部端子基板１９６はパチンコ機１００とホールコンピュータとの電気的接続に用いられる。遊技盤２００の交換を行う場合にパチンコ機１００とホールコンピュータとの配線を変更する必要がないため、遊技盤２００は、外部端子基板１９６を介して本体１０４とホールコンピュータとを接続したままで交換される。但し、機種によってはパチンコ機１００からホールコンピュータに送信する信号の種類を変更する必要があるため、パチンコ機１００は、遊技盤２００の取り外し時に、パチンコ機１００の正面（手前）側から外部端子基板１９６の接続状況が把握できるように構成されていてもよい。
【００２８】
同様に、外部と接続の必要がある他の構成（例えば不図示の電源コード）についても、本体１０４に備えておくことが好ましい。
【００２９】
パチンコ機１００は、その背面側から見て、外部端子基板１９６の右側に電源コネクタ１９１を有している。電源コネクタ１９１には、不図示の電源コード１９０が接続されるようになっている。
【００３０】
図３は、遊技盤２００を正面から見た略示正面図である。
【００３１】
遊技盤２００には、外レール２０２と内レール２０４とを配設し、遊技球が転動可能な遊技領域１２４を区画形成している。
【００３２】
遊技領域１２４の略中央には、演出装置２０６を配設している。この演出装置２０６には、略中央に装飾図柄表示装置２０８（液晶表示装置２０８）を配設し、装飾図柄表示装置２０８の下部に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２と、を配設し、装飾図柄表示装置２０８の右側に演出可動体２２４を配設している。なお、以下、普通図柄を「普図」、特別図柄を「特図」と称する場合がある。
【００３３】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成するが、本発明はこれに限られるものではなく、ＥＬ等を用いた表示装置を用いてもよい。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００３４】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００３５】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００３６】
また、この演出装置２０６の周囲には、一般入賞口２２６と、普図始動口２２８と、第１特図始動口２３０と、第２特図始動口２３２と、可変入賞口２３４と、を配設している。
【００３７】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。
【００３８】
なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００３９】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の玉検出センサが検出した場合、パチンコ機１００は、普図表示装置２１０による普図変動遊技を開始する。
【００４０】
第１特図始動口２３０は、本実施例では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【００４１】
第２特図始動口２３２は、電動チューリップ（電チュー）と呼ばれ、本実施例では第１特図始動口２３０の真下に１つだけ配設している。この第２特図始動口２３２は、左右に開閉自在な羽根２３２ａを備え、羽根２３２ａの閉鎖中は球の入球が不可能であり、普図変動遊技に当選し、普図表示装置２１０が当たり図柄を停止表示した場合に羽根２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【００４２】
可変入賞口２３４は、大入賞口またはアタッカーと呼ばれ、本実施例では遊技盤２００の中央部下方に１つだけ配設している。この可変入賞口２３４は、開閉自在な扉部材２３４ａを備え、扉部材２３４ａの閉鎖中は球の入球が不可能であり、特図変動遊技に当選して特図表示装置２１２、２１４が大当たり図柄を停止表示した場合に扉部材２３４ａが所定の時間間隔（例えば、開放時間２９秒、閉鎖時間１．５秒）、所定の回数（例えば１５回）で開閉する。
【００４３】
可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００４４】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【００４５】
このパチンコ機１００は、遊技者が上皿１２６に貯留している球を発射レールの発射位置に供給し、遊技者の球発射ハンドル１３４の操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００４６】
上述の打球方向変換部材２３６や遊技釘２３８などの遊技球が接触可能な部品が、遊技領域に配置されると共に発射された遊技球が接触可能な遊技部品である。
【００４７】
＜演出装置２０６＞
次に、パチンコ機１００の演出装置２０６について説明する。演出装置２０６は、第１副制御部４００や第２副制御部５００により駆動制御される。
【００４８】
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００４９】
ワープ装置２４２は、演出装置２０６の左上方に設けたワープ入口２４２ａに入った遊技球を演出装置２０６の前面下方のステージ２４４にワープ出口２４２ｂから排出する。
【００５０】
ステージ２４４は、ワープ出口２４２ｂから排出された球や、遊技盤２００の遊技釘２３８などによって乗り上げた球などが転動可能である。転動領域であるステージ２４４上で、受入孔２４４ｂに進入した遊技球は放出部である放出孔２４４ａから放出され、放出した球が第１特図始動口２３０へ入球し易くなる場合を設けている。
【００５１】
演出可動体２２４は、本実施例では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００５２】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。
【００５３】
遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。
【００５４】
なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００５５】
＜コネクタ接続の構成＞
ここで、本発明に係るコネクタ接続の構成の一例について説明する。
【００５６】
＜＜第１の実施例＞＞
図４は、本発明に係るコネクタ接続の構成の第１の実施例を示す斜視図である。
【００５７】
また、図５（ａ）は、図４に示したコネクタ接続の構成を上方から見た平面図であり、図５（ｂ）は、（ａ）に示したＡ−Ａ断面図である。
【００５８】
この第１の実施例では、第一の部品である基板７００に設けた第一のコネクタ７００ａと第二の部品である基板７０１に設けた第二のコネクタ７０１ａとを接続する構成を示す。
【００５９】
第一のコネクタ７００ａは、その当接面７００ａｓにて基板７００に接し、電気的に接続されて実装される。
【００６０】
第二のコネクタ７０１ａと基板７０１との間には、コネクタ接続部７０１ｂを有する。第二のコネクタ７０１ａは、その当接面７０１ａｓにてコネクタ接続部７０１ｂに接し、第二のコネクタ７０１ａは基板７０１に対し、コネクタ接続部７０１ｂを介し電気的に接続されて実装される。
【００６１】
この構成において、第一のコネクタ７００ａと第二のコネクタ７０１ａとを比較すると、第一のコネクタ７００ａの基板７００に対する突出具合よりも、第二のコネクタ７０１ａの基板７０１に対する突出具合の方がより突出しており、破損機会にさらされ易く、第一のコネクタ７００ａよりも第二のコネクタ７０１ａの方が破損可能性が高いことがわかる。
【００６２】
第一のコネクタ７００ａよりも第二のコネクタ７０１ａの方が破損可能性が高いことから、第二のコネクタ７０１ａを検査して正常であれば、第一のコネクタ７００ａも正常であり、第一のコネクタ７００ａをさらに検査する手間が不要となる場合がある。
【００６３】
＜＜第２の実施例＞＞
図６は、本発明に係るコネクタ接続の構成の第２の実施例を示す斜視図であり、パチンコ機１００の遊技盤２００を開いた状態を示す図である。
【００６４】
また、図７は、図６のパチンコ機１００の遊技盤２００を閉じた状態の正面図である。
【００６５】
また、図８は、図７のＢ−Ｂ断面図であり、（ａ）は遊技盤２００を取り外した状態を示す図であり、（ｂ）は遊技盤２００の一端を、遊技盤２００を回転支持する本体１０４の支持部１０４ｄに取り付け、遊技盤２００を開いた状態を示す図であり、（ｃ）は遊技盤２００を閉じ、遊技盤２００を本体１０４の収容部１０４ｅに収容した状態を示す図である。
【００６６】
この第２の実施例では、第一の部品である本体１０４に設けた第一のコネクタ１０４ａと第二の部品である遊技盤２００に設けた第二のコネクタ２００ａとを接続する構成を示す。
【００６７】
第一のコネクタ１０４ａは、その当接面１０４ａｓにて本体１０４に接し、電気的に接続されて実装される。
【００６８】
第二のコネクタ２００ａと遊技盤２００との間には、コネクタ接続部２００ｂを有する。第二のコネクタ２００ａは、その当接面２００ａｓにてコネクタ接続部２００ｂに接し、第二のコネクタ２００ａは遊技盤２００に対し、コネクタ接続部２００ｂを介し電気的に接続されて実装される。
【００６９】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【００７０】
この遊技盤２００を閉じる動作によって第一のコネクタ１０４ａと第二のコネクタ２００ａとが押し付けられて接続する。遊技盤２００を開くと、第一のコネクタ１０４ａと第二のコネクタ２００ａとの接続は解除される。
【００７１】
この構成において、第一のコネクタ１０４ａと第二のコネクタ２００ａとを比較すると、第一のコネクタ１０４ａの本体１０４に対する突出具合よりも、第二のコネクタ２００ａの遊技盤２００に対する突出具合の方がより突出しており、破損機会にさらされ易く、第一のコネクタ１０４ａよりも第二のコネクタ２００ａの方が破損可能性が高いことがわかる。
【００７２】
第一のコネクタ１０４ａよりも第二のコネクタ２００ａの方が破損可能性が高いことから、第二のコネクタ２００ａを検査して正常であれば、第一のコネクタ１０４ａも正常であり、第一のコネクタ１０４ａをさらに検査する手間が不要となる場合がある。
【００７３】
＜＜第３の実施例＞＞
図９は、本発明に係るコネクタ接続の構成の第３の実施例を示す図であって、図８の断面図に相当する図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【００７４】
図１０は、図９のコネクタ部分を拡大して示す図である。
【００７５】
この第３の実施例では、第一の部品である遊技盤２００に設けた第一のコネクタ２００ａ２と第二の部品である本体１０４に設けた第二のコネクタ１０４ａ２とを接続するとともに、第一の部品である遊技盤２００に設けた第三のコネクタ２００ａ１と第二の部品である本体１０４に設けた第四のコネクタ１０４ａ１とを接続する構成を示す。
【００７６】
第一のコネクタ２００ａ２は、その当接面２００ａ２ｓにて遊技盤２００に接し、電気的に接続されて実装される。
【００７７】
第二のコネクタ１０４ａ２と本体１０４との間には、コネクタ接続部１０４ｂ２を有する。第二のコネクタ１０４ａ２は、その当接面１０４ａ２ｓにてコネクタ接続部１０４ｂ２に接し、第二のコネクタ１０４ａ２は本体１０４に対し、コネクタ接続部１０４ｂ２を介し電気的に接続されて実装される。
【００７８】
第三のコネクタ２００ａ１と遊技盤２００との間には、コネクタ接続部２００ｂ１を有する。第三のコネクタ２００ａ１は、その当接面２００ａ１ｓにてコネクタ接続部２００ｂ１に接し、第三のコネクタ２００ａ１は遊技盤２００に対し、コネクタ接続部２００ｂ１を介し電気的に接続されて実装される。
【００７９】
第四のコネクタ１０４ａ１は、その当接面１０４ａ１ｓにて本体１０４に接し、電気的に接続されて実装される。
【００８０】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【００８１】
この遊技盤２００を閉じる動作によって第一のコネクタ２００ａ２と第二のコネクタ１０４ａ２とが押し付けられて接続するとともに第三のコネクタ２００ａ１と第四のコネクタ１０４ａ１とが押し付けられて接続する。遊技盤２００を開くと、第一のコネクタ２００ａ２と第二のコネクタ１０４ａ２との接続、および第三のコネクタ２００ａ１と第四のコネクタ１０４ａ１との接続は解除される。
【００８２】
ここで、支持部１０４ｄから各コネクタまでの距離を考えると、支持部１０４ｄから第一のコネクタ２００ａ２および第二のコネクタ１０４ａ２までの距離Ｌ１（図９（ｂ）参照）は、支持部１０４ｄから第三のコネクタ２００ａ１および第四のコネクタ１０４ａ１までの距離Ｌ２（図９（ｂ）参照）よりも短い。この場合、遊技盤２００を閉じたときに、最初に接触するのは第一のコネクタ２００ａ２と第二のコネクタ１０４ａ２とであり、次に接触するのが第三のコネクタ２００ａ１と第四のコネクタ１０４ａ１とである。最初に接触する場合、遊技盤２００と本体１０４とのぐらつきも大きく、閉じる勢い等もあり、破損可能性が高い。これに対して、第三のコネクタ２００ａ１と第四のコネクタ１０４ａ１とは、第一のコネクタ２００ａ２と第二のコネクタ１０４ａ２との接触、接続が進み、遊技盤２００と本体１０４とのぐらつきや閉じる勢い等が抑えられた状態で接触するため、第三のコネクタ２００ａ１および第四のコネクタ１０４ａ１は、第一のコネクタ２００ａ２および第二のコネクタ１０４ａ２よりも破損可能性が低い。
【００８３】
なお、支持部１０４ｄから第一のコネクタ２００ａ２および第二のコネクタ１０４ａ２までの距離を、支持部１０４ｄから第三のコネクタ２００ａ１と第四のコネクタ１０４ａ１までの距離よりも長い構成であってもよく、この場合、第三のコネクタ２００ａ１および第四のコネクタ１０４ａ１は、第一のコネクタ２００ａ２および第二のコネクタ１０４ａ２よりも破損可能性が高い。
【００８４】
また、第一の部品である遊技盤２００の所定の面を、第一のコネクタ２００ａ２の当接面２００ａ２ｓと平行であり、第一のコネクタ２００ａ２と逆側で当接面２００ａ２ｓから最も遠い面としたとき、この所定の面から、第一のコネクタ２００ａ２における第二のコネクタ１０４ａ２と接触する接触部（遊技盤２００を閉じようとしたときに始めに接触する箇所でもよいし、遊技盤２００を閉じようとしたときに始めに接触する電極箇所でもよい。）まで、の高さをＨ１（図１０参照）とし、
また、第二の部品である本体１０４の所定の面を、第二のコネクタ１０４ａ２の当接面１０４ａ２ｓと平行であり、第二のコネクタ１０４ａ２と逆側で当接面１０４ａ２ｓから最も遠い面としたとき、この所定の面から、コネクタ接続部１０４ｂ２を介し第二のコネクタ１０４ａ２における第一のコネクタ２００ａ２と接触する接触部（遊技盤２００を閉じようとしたときに始めに接触する箇所でもよいし、遊技盤２００を閉じようとしたときに始めに接触する電極箇所でもよい。）まで、の高さをＨ２（図１０参照）とし、
また、第一の部品である遊技盤２００の所定の面を、第三のコネクタ２００ａ１の当接面２００ａ１ｓと平行であり、第三のコネクタ２００ａ１と逆側で当接面２００ａ１ｓから最も遠い面としたとき、この所定の面から、コネクタ接続部２００ｂ１を介し第三のコネクタ２００ａ１における第四のコネクタ１０４ａ１と接触する接触部（遊技盤２００を閉じようとしたときに始めに接触する箇所でもよいし、遊技盤２００を閉じようとしたときに始めに接触する電極箇所でもよい。）まで、の高さをＨ３（図１０参照）とし、
また、第二の部品である本体１０４の所定の面を、第四のコネクタ１０４ａ１の当接面１０４ａ１ｓと平行であり、第四のコネクタ１０４ａ１と逆側で当接面１０４ａ１ｓから最も遠い面としたとき、この所定の面から、第四のコネクタ１０４ａ１における第三のコネクタ２００ａ１と接触する接触部（遊技盤２００を閉じようとしたときに始めに接触する箇所でもよいし、遊技盤２００を閉じようとしたときに始めに接触する電極箇所でもよい。）まで、の高さをＨ４（図１０参照）とすると、
支持部１０４ｄから各コネクタまでの距離が同じであれば、この高さが高いコネクタの方が、破損可能性が高い。
【００８５】
したがって、この例では、第一のコネクタ２００ａ２と第二のコネクタ１０４ａ２とでは、第二のコネクタ１０４ａ２の方が突出し、高さが高いので、第二のコネクタ１０４ａ２が最も破損可能性が高いことがわかる。
【００８６】
このことから、第二のコネクタ１０４ａ２を検査して正常であれば、第一のコネクタ２００ａ２、第三のコネクタ２００ａ１および第四のコネクタ１０４ａ１も正常であり、これらをさらに検査する手間が不要となる場合がある。
【００８７】
なお、第一の部品（例えば遊技盤２００）に設けたコネクタの高さの基準となる第一の部品の所定面としては、この第一の部品と第二の部品（例えば本体１０４）とを組み付けて対応するコネクタ同士を接続したときに、この第一の部品が第二の部品と当接する面としてもよい。第一の部品に設けたコネクタのうち、この所定面を基準として、より第二の部品側に突出しているコネクタほど破損可能性が高い。
【００８８】
同様に、第二の部品（例えば本体１０４）に設けたコネクタの高さの基準となる第二の部品の所定面としては、この第二の部品と第一の部品（例えば遊技盤２００）とを組み付けて対応するコネクタ同士を接続したときに、この第二の部品が第一の部品と当接する面としてもよい。第二の部品に設けたコネクタのうち、この所定面を基準として、より第一の部品側に突出しているコネクタほど破損可能性が高い。
【００８９】
＜＜第４の実施例＞＞
図１１は、本発明に係るコネクタ接続の構成の第４の実施例を示す斜視図であり、パチンコ機１００の遊技盤２００を開いた状態を示す図である。
【００９０】
また、図１２は、図１１のパチンコ機１００の遊技盤２００を閉じた状態の正面図である。
【００９１】
また、図１３は、図１２のＣ−Ｃ断面図であり、（ａ）は遊技盤２００の一端を、遊技盤２００を回転支持する本体１０４の支持部１０４ｄに取り付け、遊技盤２００を開いた状態を示す図であり、（ｃ）は遊技盤２００を閉じ、遊技盤２００を本体１０４の収容部１０４ｅに収容した状態を示す図である。
【００９２】
また、図１４（ａ）は、図１１のパチンコ機１００の遊技盤２００を外した本体１０４の正面図であり、図１４（ｂ）は、図１１のパチンコ機１００の本体１０４から外した遊技盤２００の背面図であり、図１４（ｃ）は、（ｂ）に示した一転鎖線の円Ｄで囲った箇所を拡大して示す図である。
【００９３】
この第３の実施例では、第一の部品である本体１０４に設けた第一のコネクタ１０４ａ３と第二の部品である遊技盤２００に設けた第二のコネクタ２００ａ３とを接続するとともに、第一の部品である本体１０４に設けた第三のコネクタ１０４ａ４と第二の部品である遊技盤２００に設けた第四のコネクタ２００ａ４とを接続する構成を示す。
【００９４】
第一のコネクタ１０４ａ３は、その当接面１０４ａ３ｓにて本体１０４に接し、電気的に接続されて実装される。
【００９５】
第二のコネクタ２００ａ３と遊技盤２００との間には、コネクタ接続部２００ｂ３を有する。第二のコネクタ２００ａ３は、その当接面２００ａ３ｓにてコネクタ接続部２００ｂ３に接し、第二のコネクタ２００ａ３は遊技盤２００に対し、コネクタ接続部２００ｂ３を介し電気的に接続されて実装される。
【００９６】
第三のコネクタ１０４ａ４と本体１０４との間には、コネクタ接続部１０４ｂ４を有する。第三のコネクタ１０４ａ４は、その当接面１０４ａ４ｓにてコネクタ接続部１０４ｂ４に接し、第三のコネクタ１０４ａ４は本体１０４に対し、コネクタ接続部１０４ｂ４を介し電気的に接続されて実装される。
【００９７】
第四のコネクタ２００ａ４は、その当接面２００ａ４ｓにて遊技盤２００に接し、電気的に接続されて実装される。
【００９８】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【００９９】
この遊技盤２００を閉じる動作によって第一のコネクタ１０４ａ３と第二のコネクタ２００ａ３とが押し付けられて接続するとともに第三のコネクタ１０４ａ４と第四のコネクタ２００ａ４とが押し付けられて接続する。遊技盤２００を開くと、第一のコネクタ１０４ａ３と第二のコネクタ２００ａ３との接続、および第三のコネクタ１０４ａ４と第四のコネクタ２００ａ４との接続は解除される。
【０１００】
ここで、図１４（ｂ）および（ｃ）を参照すると、第二のコネクタ２００ａ３の接続面における長辺の長さ（接続相手のコネクタと同時に接触する辺の長さ）Ｌ４は、第四のコネクタ２００ａ４の接続面における長辺の長さＬ３よりも短い。接続面の長辺の長さすなわち接続相手のコネクタと同時に接触する辺の長さが長いと、コネクタ同士を接続する際の接触、衝突の衝撃が分散され、破損しにくくなる場合がある。
【０１０１】
したがって、この例では、第二のコネクタ２００ａ３の接続面における長辺の長さは、第四のコネクタ２００ａ４の接続面における長辺の長さよりも短く、第一のコネクタ１０４ａ３と第二のコネクタ２００ａ３とでは接続面の長辺の長さは同じであり、また第一のコネクタ１０４ａ３と第二のコネクタ２００ａ３とでは、第二のコネクタ２００ａ３の方が突出し、高さが高いので、第二のコネクタ２００ａ３が最も破損可能性が高いことがわかる。また、支持部１０４ｄから各コネクタまでの距離を考慮しても、支持部１０４ｄから第一のコネクタ１０４ａ３および第二のコネクタ２００ａ３までの距離は、支持部１０４ｄから第三のコネクタ１０４ａ４と第四のコネクタ２００ａ４までの距離よりも短いので、このことからも第二のコネクタ２００ａ３が最も破損可能性が高いことがわかる。
【０１０２】
このことから、第二のコネクタ２００ａ３を検査して正常であれば、第一のコネクタ１０４ａ３、第三のコネクタ１０４ａ４および第四のコネクタ２００ａ４も正常であり、これらをさらに検査する手間が不要となる場合がある。
【０１０３】
＜＜第５の実施例＞＞
図１５は、本発明に係るコネクタ接続の構成の第５の実施例を示す斜視図であり、パチンコ機１００の遊技盤２００を開いた状態を示す図である。
【０１０４】
また、図１６は、図１５のパチンコ機１００の遊技盤２００を閉じた状態の正面図である。
【０１０５】
また、図１７は、図１６のＥ−Ｅ断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ初め、遊技盤２００のコネクタと本体１０４のコネクタとが接した状態を示す図であり、（ｃ）は遊技盤２００を閉じ、遊技盤２００を本体１０４の収容部１０４ｅに収容した状態を示す図である。
【０１０６】
この第５の実施例では、第一の部品である本体１０４に設けた第一のコネクタ１０４ａ５と第二の部品である遊技盤２００に設けた第二のコネクタ２００ａ５とを接続する構成を示す。
【０１０７】
第一のコネクタ１０４ａ５は、その当接面１０４ａ５ｓにて本体１０４に接し、電気的に接続されて実装される。
【０１０８】
第二のコネクタ２００ａ５は、その当接面２００ａ５ｓにて遊技盤２００に接し、電気的に接続されて実装される。
【０１０９】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０１１０】
この遊技盤２００を閉じる動作によって第一のコネクタ１０４ａ５と第二のコネクタ２００ａ５とが押し付けられて接続する。遊技盤２００を開くと、第一のコネクタ１０４ａ５と第二のコネクタ２００ａ５との接続は解除される。
【０１１１】
また、図１５および図１６に示すように、この実施例では、本体１０４に遊技盤２００を収容したときに、遊技盤２００を固定する遊技盤固定部８００を本体１０４に設けている。
【０１１２】
遊技盤固定部８００は、遊技盤受部８０１と作動レバー部８０２とを有し、この遊技盤受部８０１と作動レバー部８０２との間に遊技盤２００を挿入して固定する。本実施例では、遊技盤２００の上端および下端を固定するように、上部と下部の２か所に遊技盤固定部８００を設けており、上部の遊技盤固定部８００は、遊技盤受部８０１が作動レバー部８０２の下側になる向きで本体１０４に取り付け、下部の遊技盤固定部８００は、遊技盤受部８０１が作動レバー部８０２の上側になる向きで、本体１０４に取り付けている。
【０１１３】
遊技盤受部８０１と作動レバー部８０２との間の開口は、上部の遊技盤固定部８００については遊技盤２００の上端に向いており、また下部の遊技盤固定部８００については遊技盤２００の下端に向いており、この開口に遊技盤２００の上端および下端が挿入されて遊技盤２００が本体１０４に収容される動きに伴い、遊技盤受部８０１および作動レバー部８０２は本体１０４側を軸に回動し、上部の遊技盤固定部８００の開口は下を向き、下部の遊技盤固定部８００の開口は上を向き（図１６参照）、これによって上部の遊技盤固定部８００と下部の遊技盤固定部８００とで遊技盤２００を上下から挟んで固定する。
【０１１４】
また、図１７に示すように、本体１０４には弾性部材８０３を設けている。弾性部材８０３について、図１７では、模式的にコイルばねで図示しているが、本発明はこれに限られるものではなく、板ばねやそのほか既知の各種ばねや、ゴムやそのほか如何なる部材であってもよい場合がある。また、弾性部材８０３は遊技盤固定部８００に含めてもよい場合があり、この場合、遊技盤受部８０１および作動レバー部８０２の回動に対して弾性部材８０３が付勢する場合がある。
【０１１５】
弾性部材８０３は、遊技盤２００を本体１０４に収容する際に、遊技盤２００と本体１０４とが離間する方向に付勢する。すなわち、弾性部材８０３は、遊技盤２００を本体１０４に収容する方向と逆の方向に付勢し、これによって、第一のコネクタ１０４ａ５と第二のコネクタ２００ａ５との接続時の各コネクタへの衝撃を和らげて、これらの故障等を防ぐことができる場合がある。
【０１１６】
図１８は、図１５のパチンコ機１００におけるコネクタの配置の別の例を示す図であって、（ａ）は、図１５のパチンコ機１００の遊技盤２００を外した本体１０４の正面図であり、（ｂ）は、図１５のパチンコ機１００の本体１０４から外した遊技盤２００の背面図である。
【０１１７】
この図１８の例では、第一の部品である本体１０４に設けた第一のコネクタ１０４ａ６と第二の部品である遊技盤２００に設けた第二のコネクタ２００ａ６とを接続し、第一の部品である本体１０４に設けた第三のコネクタ１０４ａ７と第二の部品である遊技盤２００に設けた第四のコネクタ２００ａ７とを接続する構成を示す。
【０１１８】
第一のコネクタ１０４ａ６は、本体１０４に接し、電気的に接続されて実装される。第二のコネクタ２００ａ６は、遊技盤２００に接し、電気的に接続されて実装される。第三のコネクタ１０４ａ７は、本体１０４に接し、電気的に接続されて実装される。第四のコネクタ２００ａ７は、遊技盤２００に接し、電気的に接続されて実装される。
【０１１９】
遊技盤２００を閉じる動作によって、第一のコネクタ１０４ａ６と第二のコネクタ２００ａ６とが押し付けられて接続し、第三のコネクタ１０４ａ７と第四のコネクタ２００ａ７とが押し付けられて接続する。遊技盤２００を開くと、第一のコネクタ１０４ａ６と第二のコネクタ２００ａ６との接続および第三のコネクタ１０４ａ７と第四のコネクタ２００ａ７との接続は解除される。
【０１２０】
この例では、第一のコネクタ１０４ａ６と第三のコネクタ１０４ａ７とは、ほぼ同じ大きさで縦一列に配置し、また、第二のコネクタ２００ａ６と第四のコネクタ２００ａ７とは、ほぼ同じ大きさで縦一列に配置している。これにより、コネクタ接続時等にそれぞれにかかる力が分散され、コネクタの故障等を防ぐことができる場合がある。
【０１２１】
なお、第一のコネクタ１０４ａ６（第二のコネクタ２００ａ６）と第三のコネクタ１０４ａ７（第四のコネクタ２００ａ７）とは同じ大きさのコネクタでなくてもよく、例えば
・第一のコネクタ１０４ａ６（第二のコネクタ２００ａ６）が第三のコネクタ１０４ａ７（第四のコネクタ２００ａ７）よりも大きい、
・第一のコネクタ１０４ａ６（第二のコネクタ２００ａ６）が第三のコネクタ１０４ａ７（第四のコネクタ２００ａ７）よりも小さい、
であってもよい。
【０１２２】
ここで、コネクタが大きい、小さいというのは、例えば「コネクタの接続面」の面積が大きい、小さいということを指す場合があり、「コネクタの接続面」の面積は例えば矩形である「コネクタの接続面」においてその縦の長さ及び横の長さによって規定される。
【０１２３】
また、第一のコネクタ１０４ａ６（第二のコネクタ２００ａ６）と第三のコネクタ１０４ａ７（第四のコネクタ２００ａ７）とにおいて、一方のコネクタが他方のコネクタよりも大きいとは、
・一方のコネクタの「コネクタの接続面」の縦の長さが他方のコネクタの「コネクタの接続面」の縦の長さよりも長く、且つ横の長さ同士は等しい、
・一方のコネクタの「コネクタの接続面」の横の長さが他方のコネクタの「コネクタの接続面」の横の長さよりも長く、且つ縦の長さ同士は等しい、
・一方のコネクタの「コネクタの接続面」の縦の長さが他方のコネクタの「コネクタの接続面」の縦の長さよりも長く、且つ一方のコネクタの「コネクタの接続面」の横の長さが他方のコネクタの「コネクタの接続面」の横の長さよりも長い、
・一方のコネクタの「コネクタの接続面」の縦の長さが他方のコネクタの「コネクタの接続面」の縦の長さよりも長く、且つ一方のコネクタの「コネクタの接続面」の横の長さが他方のコネクタの「コネクタの接続面」の横の長さよりも短く、且つ一方のコネクタの「コネクタの接続面」の面積が他方のコネクタの「コネクタの接続面」の面積よりも大きい、
・一方のコネクタの「コネクタの接続面」の横の長さが他方のコネクタの「コネクタの接続面」の横の長さよりも長く、且つ一方のコネクタの「コネクタの接続面」の縦の長さが他方のコネクタの「コネクタの接続面」の縦の長さよりも短く、且つ一方のコネクタの「コネクタの接続面」の面積が他方のコネクタの「コネクタの接続面」の面積よりも大きい、
などの場合がある。
【０１２４】
また、第一のコネクタ１０４ａ６（第二のコネクタ２００ａ６）と第三のコネクタ１０４ａ７（第四のコネクタ２００ａ７）とにおいて、一方のコネクタが他方のコネクタよりも小さいとは、
・一方のコネクタの「コネクタの接続面」の縦の長さが他方のコネクタの「コネクタの接続面」の縦の長さよりも短く、且つ横の長さ同士は等しい、
・一方のコネクタの「コネクタの接続面」の横の長さが他方のコネクタの「コネクタの接続面」の横の長さよりも短く、且つ縦の長さ同士は等しい、
・一方のコネクタの「コネクタの接続面」の縦の長さが他方のコネクタの「コネクタの接続面」の縦の長さよりも短く、且つ一方のコネクタの「コネクタの接続面」の横の長さが他方のコネクタの「コネクタの接続面」の横の長さよりも短い、
・一方のコネクタの「コネクタの接続面」の縦の長さが他方のコネクタの「コネクタの接続面」の縦の長さよりも短く、且つ一方のコネクタの「コネクタの接続面」の横の長さが他方のコネクタの「コネクタの接続面」の横の長さよりも長く、且つ一方のコネクタの「コネクタの接続面」の面積が他方のコネクタの「コネクタの接続面」の面積よりも小さい、
・一方のコネクタの「コネクタの接続面」の横の長さが他方のコネクタの「コネクタの接続面」の横の長さよりも短く、且つ一方のコネクタの「コネクタの接続面」の縦の長さが他方のコネクタの「コネクタの接続面」の縦の長さよりも長く、且つ一方のコネクタの「コネクタの接続面」の面積が他方のコネクタの「コネクタの接続面」の面積よりも小さい、
などの場合がある。
【０１２５】
なお、一方のコネクタの「コネクタの接続面」とは、接続対象の他方のコネクタと直接に接する面をいう場合もあり、直接に接しはしない周囲の枠を含む外形全体の面をいう場合もある。
【０１２６】
また、コネクタの配置位置は縦一列でなくてもよく、例えば
・第一のコネクタ１０４ａ６（第二のコネクタ２００ａ６）と第三のコネクタ１０４ａ７（第四のコネクタ２００ａ７）とを横一列に配置、
・第一のコネクタ１０４ａ６（第二のコネクタ２００ａ６）と第三のコネクタ１０４ａ７（第四のコネクタ２００ａ７）とを斜め一列に配置、
・第一のコネクタ１０４ａ６（第二のコネクタ２００ａ６）と第三のコネクタ１０４ａ７（第四のコネクタ２００ａ７）との２つのコネクタを、少し列からずれた状態で配置、
・第一のコネクタ１０４ａ６（第二のコネクタ２００ａ６）に対して第三のコネクタ１０４ａ７（第四のコネクタ２００ａ７）が角度をもって配置、
であってもよい。
【０１２７】
ここで、縦一列とは、例えば、第一のコネクタ１０４ａ６（第二のコネクタ２００ａ６）と第三のコネクタ１０４ａ７（第四のコネクタ２００ａ７）とにおいて、
・一方のコネクタの縦方向中心線（「コネクタの接続面」の縦の辺と平行な線）と他方のコネクタの縦方向中心線（「コネクタの接続面」の縦の辺と平行な線）とが一致していること、
・一方のコネクタの中心点と他方のコネクタの中心点とを結ぶ直線が、両方のコネクタの「コネクタの接続面」の縦の辺と平行であること、
・一方のコネクタの「コネクタの接続面」の横の辺と、他方のコネクタの「コネクタの接続面」の横の辺とが、どちらかのコネクタを「コネクタの接続面」の縦の辺が伸びる方向に平行移動させた場合に完全一致すること、
などが挙げられる。
【０１２８】
また、横一列とは、例えば、第一のコネクタ１０４ａ６（第二のコネクタ２００ａ６）と第三のコネクタ１０４ａ７（第四のコネクタ２００ａ７）とにおいて、
・一方のコネクタの横方向中心線（「コネクタの接続面」の横の辺と平行な線）と他方のコネクタの横方向中心線（「コネクタの接続面」の横の辺と平行な線）とが一致していること、
・一方のコネクタの中心点と他方のコネクタの中心点とを結ぶ直線が、両方のコネクタの「コネクタの接続面」の横の辺と平行であること、
・一方のコネクタの「コネクタの接続面」の縦の辺と、他方のコネクタの「コネクタの接続面」の縦の辺とが、どちらかのコネクタを「コネクタの接続面」の横の辺が伸びる方向に平行移動させた場合に完全一致すること、
などが挙げられる。
【０１２９】
また、斜め一列とは、例えば、第一のコネクタ１０４ａ６（第二のコネクタ２００ａ６）と第三のコネクタ１０４ａ７（第四のコネクタ２００ａ７）とにおいて、
・一方のコネクタの所定方向中心線（「コネクタの接続面」の所定方向の辺と平行な線）と他方のコネクタの所定方向中心線（「コネクタの接続面」の所定方向の辺と平行な線）とが一致していること、
・一方のコネクタの中心点と他方のコネクタの中心点とを結ぶ直線が、両方のコネクタの「コネクタの接続面」のいずれかの辺と平行であること、
・一方のコネクタの「コネクタの接続面」の所定方向の辺と、他方のコネクタの「コネクタの接続面」の所定方向の辺とが、どちらかのコネクタを「コネクタの接続面」の所定方向と垂直な方向の辺と平行に移動させた場合に完全一致すること、
などが挙げられる。
【０１３０】
また、少しずれた状態で配置とは、
・一方のコネクタの所定方向中心線（「コネクタの接続面」の所定方向の辺と平行な線）と他方のコネクタの所定方向中心線（「コネクタの接続面」の所定方向の辺と平行な線）とが平行であるが少しずれている、
・一方のコネクタの中心点と他方のコネクタの中心点とを結ぶ直線が、両方のコネクタの「コネクタの接続面」のいずれかの辺と平行ではないこと、
・一方のコネクタの「コネクタの接続面」の所定方向の辺と、他方のコネクタの「コネクタの接続面」の所定方向の辺とが、どちらかのコネクタを「コネクタの接続面」の所定方向と垂直な方向の辺が伸びる方向に平行移動させた場合に完全一致すること、
・一方のコネクタの「コネクタの接続面」のいずれかの辺と、他方のコネクタの「コネクタの接続面」のいずれかの辺とが、平行ではないこと、
などが挙げられる。
【０１３１】
図１９は、図１５のパチンコ機１００におけるコネクタの配置の別の例を示す図であって、（ａ）は、図１５のパチンコ機１００の遊技盤２００を外した本体１０４の正面図であり、（ｂ）は、図１５のパチンコ機１００の本体１０４から外した遊技盤２００の背面図である。
【０１３２】
この図１９の例では、外側（支持部１０４ｄから遠い側）に長いコネクタ１０４ａ８およびコネクタ２００ａ８を配置し、内側（支持部１０４ｄに近い側側）に短いコネクタ１０４ａ９およびコネクタ２００ａ９を配置している。
【０１３３】
この例によれば、外側のほうがコネクタ同士の接触面が広いため、コネクタに加わる力が分散し、コネクタの故障を防ぐ場合がある。
【０１３４】
また、この例では長いほうを外側に配置しているが、短いほうを外側に配置する場合もある。この場合、外側の短いコネクタが壊れやすくなっているが、弾性部材８０３の付勢力によってコネクタへ加わる力が分散し、コネクタの故障を防ぐことができる場合がある。
【０１３５】
＜＜第６の実施例＞＞
図２０は、本発明に係るパチンコ機１００の具体的構成の一例を示す正面図である。
【０１３６】
遊技盤２００は、外枠１０２内の本体１０４に設けた支持部１０４ｄに軸支され、本体１０４収容された際に、遊技盤固定部８００によって固定される。
【０１３７】
図２１は、図２０に示したパチンコ機１００を示す図であり、（ａ）はパチンコ機１００における、前面枠扉１０６を開いて遊技盤２００を取り外した状態の本体１０４を示す図であり、（ｂ）は遊技盤２００の背面図である。
【０１３８】
図２２は、図２１に示した遊技盤２００を本体１０４に収容する様子を示す図であって、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【０１３９】
図２３は、図２２に示した支持部１０４ｄの近傍を示す斜視図である。
【０１４０】
本実施例では、パチンコ機１００の主基板を７０２で示し、副基板を７０３で示している。
【０１４１】
主基板７０２に接続されたコネクタ７０２ａは、例えばハーネスによってコネクタ７０５ａと接続される。また、副基板７０３に接続されたコネクタ７０３ａは、例えばハーネスによってコネクタ７０４ａと接続され、副基板７０３に接続されたコネクタ７０３ｂは、例えばハーネスによってコネクタ７０４ｂと接続される。
【０１４２】
コネクタ７０５ａとコネクタ７０６ａとは例えば後述の基板７０５のプリント配線にて接続され、コネクタ７０４ａとコネクタ７０６ｂとは例えば後述の基板７０４のプリント配線にて接続され、コネクタ７０４ｂとコネクタ７０６ｃとは例えば後述の基板７０４のプリント配線にて接続される。
【０１４３】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０１４４】
この遊技盤２００を閉じる動作によって、本体１０４側のコネクタ７０７ａと遊技盤２００側のコネクタ７０６ａとが押し付けられて接続し、本体１０４側のコネクタ７０７ｂと遊技盤２００側のコネクタ７０６ｂとが押し付けられて接続し、本体１０４側のコネクタ７０７ｃと遊技盤２００側のコネクタ７０６ｃとが押し付けられて接続する。遊技盤２００を開くと、コネクタ７０７ａとコネクタ７０６ａとの接続、コネクタ７０７ｂとコネクタ７０６ｂとの接続、およびコネクタ７０７ｃとコネクタ７０６ｃとの接続は解除される。
【０１４５】
遊技盤２００を閉じると、本体１０４に取り付けてある遊技盤固定部８００によって、遊技盤２００は本体１０４に固定される。なお、図２１（ａ）においては、作動レバー部８０２の面が遊技者側に向いた状態を図示している。
【０１４６】
図２４は、本体１０４側のコネクタと遊技盤２００側のコネクタの詳細を示す斜視図であり、（ａ）は遊技盤２００側のコネクタの周辺構成を分解した状態を示す図であり、（ｂ）は遊技盤２００側のコネクタの周辺構成を組み立てた状態を示す図である。また、図２５（ａ）は図２４（ａ）の背面斜視図であり、図２５（ｂ）は図２４（ｂ）の背面斜視図である。
【０１４７】
コネクタ７０６ａは、当接面７０６ａｓを基板７０５に当接させて例えば半田によって接続して実装する。コネクタ７０６ｂは、当接面７０６ｂｓを基板７０４に当接させて例えば半田によって接続して実装する。コネクタ７０６ｃは、当接面７０６ｃｓを基板７０４に当接させて例えば半田によって接続して実装する。
【０１４８】
互いに接続されるコネクタ７０６ａとコネクタ７０７ａとはフローティングコネクタであってもよいし、そうでなくてもよい。本実施例では、フローティングコネクタとする。コネクタ７０７ａは、本体１０４に取り付けられた状態において、接続相手のコネクタ７０６ａとの接続面と少なくとも平行な面内で、接続位置のずれを吸収可能なようにフローティング（移動可能）としている。
【０１４９】
互いに接続されるコネクタ７０６ｂとコネクタ７０７ｂとはフローティングコネクタであってもよいし、そうでなくてもよい。本実施例では、フローティングコネクタとする。コネクタ７０７ｂは、本体１０４に取り付けられた状態において、接続相手のコネクタ７０６ｂとの接続面と少なくとも平行な面内で、接続位置のずれを吸収可能なようにフローティング（移動可能）としている。
【０１５０】
互いに接続されるコネクタ７０６ｃとコネクタ７０７ｃとはフローティングコネクタであってもよいし、そうでなくてもよい。本実施例では、フローティングコネクタとする。コネクタ７０７ｃは、本体１０４に取り付けられた状態において、接続相手のコネクタ７０６ｃとの接続面と少なくとも平行な面内で、接続位置のずれを吸収可能なようにフローティング（移動可能）としている。
【０１５１】
コネクタ７０７ａ、コネクタ７０７ｂおよびコネクタ７０７ｃは、そのフローティング機構の故にフローティングではないコネクタと比べて破損しやすい場合がある。また、コネクタ７０６ａ、コネクタ７０６ｂおよびコネクタ７０６ｃの端子部分は電極が例えば同であるのに対して、その周辺を例えば黒色にしておけば、その周辺色の変色で、破損の進行を視認可能な場合がある。
【０１５２】
コネクタ７０６ａを実装した基板７０５、並びにコネクタ７０６ｂおよびコネクタ７０６ｃを実装した基板７０４は、ドロワベース７０８に固定され、その後、遊技盤２００に取り付けられる。
【０１５３】
コネクタ７０６ａ、コネクタ７０６ｂおよびコネクタ７０６ｃは、フローティングではないので、破損しにくい。また、コネクタ７０６ａ、コネクタ７０６ｂおよびコネクタ７０６ｃは、一般にハウジングと呼ばれ、金属製の枠に覆われているので、破損しにくい。
【０１５４】
コネクタ７０７ａは、当接面７０７ａｓを本体１０４に当接させて例えば半田によって接続して実装する。コネクタ７０７ｂは、当接面７０７ｂｓを本体１０４に当接させて例えば半田によって接続して実装する。コネクタ７０７ｃは、当接面７０７ｃｓを本体１０４に当接させて例えば半田によって接続して実装する。このとき、コネクタ７０７ａは図示しないコネクタ接続部によって、その高さを高くしている。
【０１５５】
以上のように構成することによって、コネクタ７０７ａを最も破損しやすい構成とすることができ、コネクタの検査時にはすべてのコネクタを検査せずとも、コネクタ７０７ａを検査すればよい場合がある。
【０１５６】
また、複数のコネクタにおいては、そのすべての中で最も破損しやすいもののみを検査するようにしてもよいし、複数のコネクタの中のいくつかだけを対象にしてそのいくつかの中で最も破損しやすいものの検査により、他のコネクタの破損状態を知ることができる場合がある。
【０１５７】
また、コネクタは、その長辺が長い方が接続時の衝撃が分散して破損しにくいが、意図的に破損しやすいように長辺が短いコネクタを用意し、その破損を確認することによって、他のコネクタの破損状態を知り得るように構成することができるが、この場合、長辺が短いコネクタは安価であることから、安価な構成で他のコネクタの破損状態を知り得る場合がある。
【０１５８】
図２６は、本体１０４に取り付ける遊技盤固定具８００の詳細を示す図であり、（ａ）は遊技盤固定具８００の開口を下に向けた状態を示す斜視図であり、（ｂ）は遊技盤固定具８００の作動レバー部８０２の面側から見た正面図である。
【０１５９】
図２７は、図２６に示した遊技盤固定具８００の分解斜視図である。
【０１６０】
遊技盤固定具８００は、遊技盤受部８０１を成す２枚の板部材８０１ａおよび８０１ｂと、作動レバー部８０２と、弾性部材８０３と、基台８０４と、
係止爪８０５ｃを有する係止部材８０５と、を有して構成される。
【０１６１】
基台８０４は、平板部材の両脇を図中手前側に屈曲させて、中央を背板８０４ａとし、両脇を脇部８０４ｂとしている。背板８０４ａは本体１０４に固定する。
【０１６２】
作動レバー部８０２の両側には板部材８０１ａおよび板部材８０１ｂを配置し、軸８０７を、板部材８０１ｂの貫通孔８０１ｂａ、作動レバー部８０２の８０２ａ、板部材８０１ａの貫通孔８０１ａａの順で貫通し、作動レバー部８０２と板部材８０１ａおよび板部材８０１ｂとがずれないように固定する。
【０１６３】
軸８０６は、基台８０４の貫通孔８０４ｄ、板部材８０１ｂの貫通孔８０１ｂｂ、作動レバー部８０２の８０２ｂ、板部材８０１ａの貫通孔８０１ａｂ、基台８０４の貫通孔８０４ｆの順に貫通し、一体化した板部材８０１ｂ、作動レバー部８０２および板部材８０１ａが、基台８０４に対して回動可能になるように軸支する。
【０１６４】
軸８０８は、板部材８０１ｂの貫通孔８０１ｂｃ、板部材８０１ａの貫通孔８０１ａｃ、の順で貫通する。
【０１６５】
軸８０９は、基台８０４の貫通孔８０４ｃ、係止部８０５の貫通孔８０５ｂ、基台８０４の貫通孔８０４ｅの順で貫通し、係止部８０５が、基台８０４に対して回動可能になるように軸支する。係止部８０５は上部に操作部８０５ａを有する。
【０１６６】
弾性部材８０３は、本例では板ばねであり、所定形状に湾曲させたほぼ中央部を、基台８０４の背板８０４ａに固定する。弾性部材８０３の下側は背板８０４ａに当接する。係止部８０５は、平板部材の両脇を図中下側に屈曲させ、その上面に対してその下側から、弾性部材８０３の上側が当接する。
【０１６７】
基台８０４は、軸８０８が入り込む凹部８０４ｇ、８０４ｈを有する。また、係止部８０５の係止爪８０５ｃは、詳しくは後述するように、軸８０８を係止する。
【０１６８】
図２８は、遊技盤２００を本体１０４に収容し、遊技盤固定具８００によって固定する動作を説明する図であって、（ａ）は、遊技盤固定具８００の開口に遊技盤２００が挿入された状態を示す側面図であり、（ａ）’は、（ａ）の状態における、図２６（ｂ）のＦ−Ｆ位置での側断面図であり、（ｂ）は、（ａ）に続く状態であって遊技盤２００の収容が進んだ状態を示す側面図であり、（ｂ）’は、（ｂ）の状態における、図２６（ｂ）のＦ−Ｆ位置での側断面図であり、（ｃ）は、（ｂ）に続く状態であって遊技盤２００の収容が完了した状態を示す側面図であり、（ｃ）’は、（ｃ）の状態における、図２６（ｂ）のＦ−Ｆ位置での側断面図である。
【０１６９】
なお、図２８において、本体１０４の図示を省略しているが、図中右側にある本体１０４に遊技盤固定具８００が取り付けられている。
【０１７０】
遊技盤２００の本体１０４への収容時には、遊技盤固定具８００の開口すなわち遊技盤受部８０１と作動レバー部８０２との間の開口に遊技盤２００が挿入され、この遊技盤２００が遊技盤受部８０１を本体１０４側に押す。
【０１７１】
図２８（ａ）、（ａ）’に示すように、遊技盤２００を収容していないときには、弾性部材８０３に付勢されて、係止部８０５は、その操作部８０５ａが背板８０４ａとほぼ垂直な位置にある。
【０１７２】
図２８（ｂ）、（ｂ）’に示すように、遊技盤２００を収容しようと遊技盤２００で遊技盤受部８０１を押すと、軸８０８が係止爪８０５ｃを押し、弾性部材８０３の弾性力に反して、操作部８０５ａの先端が下がるように係止部８０５を回動させる。
【０１７３】
図２８（ｃ）、（ｃ）’に示すように、さらに遊技盤２００を押し込むと、係止爪８０５ｃのくぼみに軸８０８が嵌り、弾性部材８０３の弾性力によって、操作部８０５ａの先端が上がるように係止部８０５を回動させ、図２８（ａ）、（ａ）’と同じ位置に位置する。このとき軸８０８は係止爪８０５ｃに係止され、これによって遊技盤受部８０１および作動レバー部８０２が固定され、遊技盤受部８０１と作動レバー部８０２との間の開口に挿入された遊技盤２００が固定される。
【０１７４】
遊技盤２００の固定を解除する際には、図２８（ｃ）、（ｃ）’に示す状態において、操作部８０５ａの先端を押し下げる。この操作により、係止爪８０５ｃが軸８０８から外れ、遊技盤受部８０１および作動レバー部８０２は自由に動き、遊技盤２００を遊技者側に引き出すことが可能になる。
【０１７５】
＜＜第７の実施例＞＞
本例では、パチンコ機１００の外枠１０２に設けたスピーカ（図示省略）と、本体１０４に設けたスピーカの制御回路とを接続するコネクタの構成を示す。
【０１７６】
図２９は、第７の実施例において、パチンコ機１００の外枠１０２から本体１０４を開いた状態を示す斜視図である。
【０１７７】
図３０は、図２９のパチンコ機１００において、本体１０４の下部が見えるように下側から見た斜視図である。
【０１７８】
図３１は、図２９のパチンコ機１００において、コネクタ近傍を拡大して示す斜視図であり、（ａ）は本体１０４側のコネクタ近傍を示す図であり、（ｂ）は外枠１０２側のコネクタ近傍を示す図である。
【０１７９】
図３２は、図２９のパチンコ機１００において、コネクタ近傍を拡大して示す斜視図であり、（ａ）は外枠１０２側のコネクタに本体１０４側のコネクタが接続される様子を示す図であり、（ｂ）は外枠１０２側のコネクタに本体１０４側のコネクタを接続した状態を示す図である。
【０１８０】
外枠１０２側のコネクタ８５０の両側には、コネクタ接続がスムーズに行われるための位置決め用の突出部８５１を設けており、これに対向した本体１０４側のコネクタ８６０の両側には、突出部８５１に対応する孔８６１を設けている。
【０１８１】
さらに、本体１０４には位置決め部材８５２を設け、これに対向した外枠１０２には、位置決め部材８６２が上部を滑って収納される板金部材８５２を設けている。
【０１８２】
本体１０４を外枠１０２に対して閉じると、コネクタ８５０とコネクタ８６０とが接続される。このとき、孔８６１に突出部８５１が嵌るとともに板金部材８５２上を位置決め部材８６２が滑って収納されることによって、コネクタ同士の位置決めがされる。
【０１８３】
開閉動作の際に動かない方の外枠１０２側のコネクタ８５０をフローティングコネクタにしてもよい場合があり、開閉動作の際に動く方の本体１０４側のコネクタ８６０をフローティングコネクタにしてもよい場合がある。
【０１８４】
ここで、開閉動作する本体１０４に、動かないコネクタ（固定のコネクタ）を配置し、動作しない外枠１０２に、動くコネクタ（フローティングコネクタ）を配置する場合があり、これは、遊技領域が広くなっていくことに伴い遊技盤が大きくなっているため、コネクタ用の基板を設置する余裕があることによる。
【０１８５】
＜スロットマシンへの適用＞
本発明に係る遊技台は、「複数種類の図柄が施され、回転駆動される複数のリールと、リールの回転を指示するためのスタートレバーと、各々のリールに対応して設けられ、リールの回転を個別に停止させるための停止ボタンと、複数種類の役の内部当選の当否を抽選により判定する抽選手段（入賞役内部抽選）と、抽選手段の抽選結果に基づいてリールの回転の停止に関する停止制御を行うリール停止制御手段（リール停止制御処理）と、抽選手段の抽選結果に基づいて停止されたリールによって表示される図柄組合せが、内部当選した役に対応して予め定めた図柄組合せであるか否かの判定をする判定手段（入賞判定処理）と、図柄の停止態様が所定の入賞態様である場合、所定の入賞態様に対応する遊技媒体を払出す遊技媒体払出処理を行う払出制御手段（メダル払出処理）と、に加え、抽選手段の抽選結果に基づいて演出を実行する演出手段を備え、この演出手段が、所定の遊技領域に球を発射する発射装置と、発射装置から発射された球を入球可能に構成された入賞口と、入賞口に入球した球を検知する検知手段と、検知手段が球を検知した場合に球を払出す払出手段と、所定の図柄(識別情報)を変動表示する可変表示装置と、可変表示装置を遮蔽する位置に移動可能なシャッタと、所定動作態様で動作する可動体と、を備え、入賞口に遊技球が入って入賞することを契機として、可変表示装置が図柄を変動させた後に停止表示させて、遊技を演出するような演出装置、であるスロットマシン」にも好適である。
【０１８６】
＜封入式遊技機への適用＞
本発明に係る遊技台は、遊技機内に封入された遊技球を循環使用する封入式遊技機にも適用可能である。
【０１８７】
＜付記＞
なお、以上説明した本発明は、
１．
遊技領域を備えた遊技盤（例えば遊技盤２００）と、
該遊技盤を取付可能な本体（例えば本体１０４）と、
前記本体に設けられた第一のコネクタ（例えばコネクタ７００ａ、１０４ａ、１０４ａ１、１０４ａ２、１０４ａ３、１０４ａ４、１０４ａ５、１０４ａ６、１０４ａ７、１０４ａ８、１０４ａ９、７０７ａ、７０７ｂ、７０７ｃ）と、
前記遊技盤に設けられた第二のコネクタ（例えば７０１ａ、２００ａ、２００ａ１、２００ａ２、２００ａ３、２００ａ４、２００ａ５、２００ａ６、２００ａ７、２００ａ８、２００ａ９、７０６ａ、７０６ｂ、７０６ｃ）と、
を備えた遊技台であって、
前記第一のコネクタと第二のコネクタとは電気的に接続可能に構成され、
前記第一のコネクタおよび前記第二のコネクタのうち少なくとも一方はフローティングコネクタであり、
前記第二のコネクタは、前記遊技盤の両側端のうちの第一の端よりも第二の端に近い位置に配置され、
前記本体は、前記遊技盤における前記第一の端よりも前記第二の端に近い箇所を、少なくとも所定の向きに押す押圧部（例えば遊技盤受部８０１および弾性部材８０３）を有し、
前記所定の向きは、遊技盤を取り付ける向きと反対の向きである
ことを特徴とする遊技台、としたので、
メンテナンス性を向上させることができる。
【０１８８】
また、押圧部が第一のコネクタと第二のコネクタの近くに配置されていることにより、遊技盤の取り付け時に第一のコネクタと第二のコネクタに過剰な力が加えられるのを防ぎ、第一のコネクタと第二のコネクタの故障を防ぐことができる場合がある。また、押圧部により遊技盤には本体から取りはずす方向に力が加えられているので、本体から取り外すときに第一のコネクタと第二のコネクタの解除を容易にし、メンテナンス性を向上させることができる場合がある。
【０１８９】
また本発明は、
１．に記載の遊技台において、
前記本体は、前記第一のコネクタの近くに前記遊技盤を固定する固定部（例えば遊技盤固定具８００）を備えた
ことを特徴とする遊技台、としたので、
固定部を設けることにより、遊技盤に一定以上の力を加えないようにし、第一のコネクタと第二のコネクタに過剰な力が加えられるのを防ぐことができる場合がある。
【０１９０】
また本発明は、
２．に記載の遊技台において、
前記固定部は、前記押圧部を含んで構成される
ことを特徴とする遊技台、としたので、
固定部が押圧部を含むことにより、押圧部により遊技盤が押される力に連動して遊技盤を固定させる力を遊技盤に与えることができるので、第一のコネクタと第二のコネクタに過剰な力が加えられるのを防ぐことができる場合がある。
【０１９１】
また本発明は、
１．ないし３．のうちのいずれか１項に記載の遊技台において、
前記本体は、第三のコネクタ（例えばコネクタ１０４ａ１、１０４ａ４、１０４ａ６、１０４ａ７、７０７ｂ、７０７ｃ）を備え、
前記遊技盤は、第四のコネクタ（例えばコネクタ２００ａ１、２００ａ４、２００ａ６、２００ａ７、７０６ｂ、７０６ｃ）を備え、
前記第三のコネクタと前記第四のコネクタとは電気的に接続可能に構成され、
前記第四のコネクタは、前記遊技盤の前記第二の端側に設けられる
ことを特徴とする遊技台、としたので、
コネクタが複数あることにより、第一のコネクタおよび第二のコネクタへ加わる力を分散させ、第一のコネクタと第二のコネクタの故障を防ぐことができる場合がある。
【０１９２】
また本発明は、
１．ないし４．のうちのいずれか１項に記載の遊技台において、
前記本体は、第五のコネクタ（例えばコネクタ１０４ａ３、１０４ａ８、７０７ａ、７０７ｂ）を備え、
前記遊技盤は、第六のコネクタ（例えばコネクタ２００ａ３、２００ａ８、７０６ａ、７０６ｂ）を備え、
前記第五のコネクタと前記第六のコネクタとは電気的に接続可能に構成され、
前記第五のコネクタは、前記第一のコネクタよりも前記遊技盤の前記第一の端側に設けられ、
前記第五のコネクタの接続面における長辺は、前記第一のコネクタの接続面における長辺よりも短い
ことを特徴とする遊技台、としたので、
コネクタが複数あることにより、第一のコネクタおよび第二のコネクタへ加わる力を分散させ、第一のコネクタと第二のコネクタの故障を防ぐことができる場合がある。
【０１９３】
また、第一のコネクタ（第二のコネクタ）よりも接続面の長辺が短い第五のコネクタ（第六のコネクタ）を設けることにより、外部からの衝撃を吸収しやすく（長辺が長いことにより衝撃を分散する）、第一のコネクタと第二のコネクタの故障を防ぐことができる場合がある。
【０１９４】
ここで、第一の端側とは、第一の端と第二の端との中心線よりも第一の端に近い位置をいい、第二の端側とは、第一の端と第二の端との中心線よりも第二の端に近い位置をいう。このとき、第一の端と第二の端との中心線と一致する位置は、第一の端側とする場合もあるし、第二の端側とする場合もある。
【０１９５】
また本発明は、
１．ないし４．のうちのいずれか１項に記載の遊技台において、
前記本体から、前記第一のコネクタにおける前記第二のコネクタと接触する接触部まで、の高さは、第一の高さであり、
前記遊技盤から、前記第二のコネクタにおける前記第一のコネクタと接触する接触部まで、の高さは、第二の高さであり、
前記第一の高さと前記第二の高さを異ならせた
ことを特徴とする遊技台、としたので、
壊れやすいコネクタを明確にするとともに、壊れやすいコネクタへ加わる力を分散させるため、壊れやすいコネクタの故障を防ぐことができる場合がある。
【０１９６】
また本発明において、
前記本体は、前記遊技盤の前記第一の端を支持(固定)する支持部を備える場合がある。
【０１９７】
この場合、メンテナンス性を向上させることができる場合があり、また、押圧部が第一のコネクタと第二のコネクタの近くに配置されていることにより、遊技盤の取り付け時に第一のコネクタと第二のコネクタに過剰な力が加えられるのを防ぎ、第一のコネクタと第二のコネクタの故障を防ぐことができる場合がある。また、押圧部により遊技盤には本体から取りはずす方向に力が加えられているので、本体から取り外すときに第一のコネクタと第二のコネクタの解除を容易にし、メンテナンス性を向上させることができる場合がある。
【０１９８】
ここで、前記第一の高さや、前記第二の高さについて、図面を参照して説明する。
【０１９９】
図３３は、コネクタ８１０が実装された基板８１１が部品８１２に取り付けられている場合であって、コネクタ８１０が対向するコネクタと接触する接触部の面が、部品８１２の段差面よりも、対向するコネクタに近い場合を説明する概略側面図である。
【０２００】
図３４は、コネクタ８１０が実装された基板８１１が部品８１２に取り付けられている場合であって、コネクタ８１０が対向するコネクタと接触する接触部の面が、部品８１２の段差面よりも、対向するコネクタから遠い場合を説明する概略側面図である。
【０２０１】
図３３および３４において、
接続部Ａは、コネクタ８１０における、対向するコネクタと接触する接触部の面であり、
実装面Ｂは、基板８１１における、コネクタ８１０が実装された面であり、
実装面の裏面Ｃは、基板８１１における、コネクタ８１０が実装された面の裏面であり、
基板が固定されている面Ｃ’は、部品８１２における、基板８１１が固定されている面であり、
第一の面Ｄは、実装面の裏面Ｃとの段差がつけられた面であって、実装面の裏面Ｃから最も近い面であり、
第一の面Ｃと第二の面Ｆ以外の所定の面Ｅは、コネクタ８１０を中心にした左右両側のうち面Ｄおよび面Ｆと同じ側にあって、面Ｄと面Ｆとの間の高さの所定の面であり、
第二の面Ｆは、コネクタ８１０を中心にした左右両側のうち面Ｄおよび面Ｆと同じ側にあって、実装面の裏面Ｃから最も遠い面であり、
第三の面Ｇは、実装面の裏面Ｃとの段差がつけられた面であって、コネクタ８１０を中心にした左右両側のうち面Ｄと異なる側において、実装面の裏面Ｃから最も近い面であり、
また、この第三の面Ｇは、実装面の裏面Ｃとの段差がつけられた面であって、コネクタ８１０を中心にした左右両側のうち第四の面Ｉと同じ側において、面Ｉから最も遠い面であり、
第三の面Ｇと第四の面Ｉ以外の所定の面Ｈは、コネクタ８１０を中心にした左右両側のうち面Ｇおよび面Ｉと同じ側にあって、面Ｇと面Ｉとの間の高さの所定の面であり、
第四の面Ｉは、実装面の裏面Ｃとの段差がつけられた面であって、コネクタ８１０を中心にした左右両側のうち面Ｄと異なる側において、実装面の裏面Ｃから最も遠い面である。
【０２０２】
前記第一の高さや、前記第二の高さとしては、上記各面において、
・面Ａから面Ｂまでの高さでもよいし、
・面Ａから面Ｃまでの高さでもよいし、
・面Ａから面Ｃ’までの高さでもよいし、
・面Ａから面Ｄまでの高さでもよいし、
・面Ａから面Ｅまでの高さでもよいし、
・面Ａから面Ｆまでの高さでもよいし、
・面Ａから面Ｇまでの高さでもよいし、
・面Ａから面Ｈまでの高さでもよいし、
・面Ａから面Ｉまでの高さでもよい。
【０２０３】
図３５は、コネクタ８１０が実装された基板８１１が部品８１２に取り付けられている場合であって、コネクタ８１０が対向するコネクタと接触する接触部の面のうちの少なくとも一点が、部品８１２の段差面よりも、対向するコネクタから遠く、基板８１１と部品８１２の段差面とが所定の角度θを有する場合を説明する概略側面図である。
【０２０４】
図３６は、コネクタ８１０が実装された基板８１１が部品８１２に取り付けられている場合であって、コネクタ８１０が対向するコネクタと接触する接触部の面のうちの少なくとも一点が、部品８１２の段差面よりも、対向するコネクタに近く、基板８１１と部品８１２の段差面とが所定の角度θを有する場合を説明する概略側面図である。
【０２０５】
図３５および３６において、
接続部Ａは、コネクタ８１０における、対向するコネクタと接触する接触部の面であり、
また、点Ａ’は、面Ａのうち、対向するコネクタに最も近い点であり、
実装面Ｂは、基板８１１における、コネクタ８１０が実装された面であり、
実装面の裏面Ｃは、基板８１１における、コネクタ８１０が実装された面の裏面であり、
基板が固定されている面Ｃ’は、部品８１２における、基板８１１が固定されている面であり、
第一の面Ｄは、実装面の裏面Ｃと、段差を有さず、鈍角である所定の角度θを成す面であり、
第二の面Ｅは、実装面の裏面Ｃとの段差がつけられた面であって、実装面の裏面Ｃから最も近い面であり、
第二の面Ｅと第三の面Ｇ以外の所定の面Ｆは、コネクタ８１０を中心にした左右両側のうち面Ｅおよび面Ｇと同じ側にあって、面Ｅと面Ｇとの間の高さの所定の面であり、
第三の面Ｇは、実装面の裏面Ｃとの段差がつけられた面であって、コネクタ８１０を中心にした左右両側のうち面Ｅおよび面Ｇと同じ側において、実装面の裏面Ｃから最も遠い面であり、
第四の面Ｈは、実装面の裏面Ｃとの段差がつけられた面であって、コネクタ８１０を中心にした左右両側のうち面Ｄと異なる側において、実装面の裏面Ｃから最も近い面であり、
また、この第四の面Ｈは、実装面の裏面Ｃとの段差がつけられた面であって、コネクタ８１０を中心にした左右両側のうち第五の面Ｊと同じ側において、面Ｊから最も遠い面であり、
第四の面Ｈと第五の面Ｊ以外の所定の面Ｉは、コネクタ８１０を中心にした左右両側のうち面Ｈおよび面Ｊと同じ側にあって、面Ｈと面Ｊとの間の高さの所定の面であり、
第五の面Ｊは、実装面の裏面Ｃとの段差がつけられた面であって、実装面の裏面Ｃから最も遠い面である。
【０２０６】
前記第一の高さや、前記第二の高さとしては、上記各面において、
・面Ａから面Ｂまでの高さでもよいし、
・面Ａから面Ｃまでの高さでもよいし、
・面Ａから面Ｃ’までの高さでもよいし、
・点Ａ’から面Ｄまでの高さでもよいし、
・点Ａ’から面Ｅまでの高さでもよいし、
・点Ａ’から面Ｆまでの高さでもよいし、
・点Ａ’から面Ｇまでの高さでもよいし、
・点Ａ’から面Ｈまでの高さでもよいし、
・点Ａ’から面Ｉまでの高さでもよいし、
・点Ａ’から面Ｊまでの高さでもよい。
【０２０７】
この場合、コネクタが複数あることにより、第一のコネクタおよび第二のコネクタへ加わる力を分散させ、第一のコネクタと第二のコネクタの故障を防ぐことができる場合がある。
【０２０８】
遊技盤の表面（例えば、遊技領域１２４が設けられた面）に第二のコネクタを配置してもよい。
【０２０９】
また、遊技盤の表面（例えば、遊技領域１２４が設けられた面）に第三のコネクタを配置してもよい。
【０２１０】
また、遊技盤の表面（例えば、遊技領域１２４が設けられた面）に第六のコネクタを配置してもよい。
【０２１１】
遊技盤の裏面（例えば、遊技領域１２４が設けられた面の裏面、遊技盤における主基板や副基板が設けられている面）に第二のコネクタを配置してもよい。
【０２１２】
また、遊技盤の裏面（例えば、遊技領域１２４が設けられた面の裏面、遊技盤における主基板や副基板が設けられている面）に第三のコネクタを配置してもよい。
【０２１３】
また、遊技盤の裏面（例えば、遊技領域１２４が設けられた面の裏面、遊技盤における主基板や副基板が設けられている面）に第六のコネクタを配置してもよい。
【０２１４】
＜付記２＞
なお、以上説明した本発明は、
１．
遊技盤（例えば遊技盤２００）を取り付け可能な本体（例えば本体１０４）と、
前記本体に設けられた第一のコネクタ（例えばコネクタ７００ａ、１０４ａ、１０４ａ１、１０４ａ２、１０４ａ３、１０４ａ４、１０４ａ５、１０４ａ６、１０４ａ７、１０４ａ８、１０４ａ９、７０７ａ、７０７ｂ、７０７ｃ）と、
前記遊技盤に設けられた第二のコネクタ（例えば７０１ａ、２００ａ、２００ａ１、２００ａ２、２００ａ３、２００ａ４、２００ａ５、２００ａ６、２００ａ７、２００ａ８、２００ａ９、７０６ａ、７０６ｂ、７０６ｃ）と、
前記本体に設けられた第三のコネクタ（例えばコネクタ１０４ａ１、１０４ａ４、１０４ａ６、１０４ａ７、７０７ｂ、７０７ｃ）と、
前記遊技盤に設けられた第四のコネクタ（例えばコネクタ２００ａ１、２００ａ４、２００ａ６、２００ａ７、７０６ｂ、７０６ｃ）と、
を備えた遊技台であって、
前記第一のコネクタは、前記第二のコネクタと電気的に接続可能なものであり、
前記第三のコネクタは、前記第四のコネクタと電気的に接続可能なものであり、
前記第二のコネクタは、前記遊技盤の両側端のうちの第一の端よりも第二の端に近い位置に設けられたものであり、
前記第四のコネクタは、前記第一の端よりも前記第二の端に近い位置に設けられたものであり、
前記第二のコネクタの少なくとも一部は、前記遊技盤が前記本体に取り付けられた状態において、前記第四のコネクタよりも後方に位置するものであり、
前記第二のコネクタおよび前記第四のコネクタのうちの少なくとも一方のコネクタは、前記遊技盤の上端側よりも下端側に近い位置に設けられたものである、
ことを特徴とする遊技台、としたので、
メンテナンス性を向上させた遊技台を提供することができる。
【０２１５】
また、コネクタが複数あることにより、第一のコネクタおよび第二のコネクタへ加わる力を分散させ、第一のコネクタと第二のコネクタの故障を防ぐことができる場合がある。
【０２１６】
また、高さの異なるコネクタを遊技盤に設けることで、壊れやすいコネクタを明確にすることができ、コネクタを全て検査せずとも、壊れやすいコネクタの方だけを確認すれば、コネクタの故障の有無を認識可能であるので、メンテナンス性を向上させることができる場合がある。
【０２１７】
また、遊技盤の取り付け時は、遊技盤の下端側が上端側よりも安定しており、コネクタを壊れにくくすることができる場合がある。
【０２１８】
また本発明は、
２．
１．に記載の遊技台において、
前記第一のコネクタおよび前記第二のコネクタのうちの少なくとも一方のコネクタは、フローティングコネクタであり、
前記第三のコネクタおよび前記第四のコネクタのうちの少なくとも一方のコネクタは、フローティングコネクタである、
ことを特徴とする遊技台、としたので、
コネクタの接続と解除を容易に行えるので、メンテナンス性を向上させることができる場合がある。
【０２１９】
また本発明は、
３．
２．に記載の遊技台において、
前記フローティングコネクタは、該フローティングコネクタと電気的に接続可能なコネクタの接続面に対して、少なくとも平行な面内で移動可能なものである、
ことを特徴とする遊技台、としたので、
コネクタの接続と解除を容易に行えるので、メンテナンス性を向上させることができる場合がある。
【０２２０】
また本発明は、
４．
１．ないし３．のうちのいずれか１項に記載の遊技台において、
前記第三のコネクタの一部は、前記遊技盤が前記本体に取り付けられた状態において、前記第一のコネクタよりも前方に位置するものである、
ことを特徴とする遊技台、としたので、
壊れやすいコネクタを明確にするとともに、壊れやすいコネクタへ加わる力を分散させるため、壊れやすいコネクタの故障を防ぐことができる場合がある。
【０２２１】
また本発明は、
５．
１．ないし４．のうちのいずれか１項に記載の遊技台において、
前記第二のコネクタの一部は、前記第二のコネクタの先端であり、
前記第二のコネクタの前記先端は、該第二のコネクタにおける最も前記後方に位置するものである、
ことを特徴とする遊技台、としたので、
コネクタが複数あることにより、第一のコネクタおよび第二のコネクタへ加わる力を分散させ、第一のコネクタと第二のコネクタの故障を防ぐことができる場合がある。
【０２２２】
また、高さの異なるコネクタを遊技盤に設けることで、壊れやすいコネクタを明確にすることができ、コネクタを全て検査せずとも、壊れやすいコネクタの方だけを確認すれば、コネクタの故障の有無を認識可能であるので、メンテナンス性を向上させることができる場合がある。
【０２２３】
また、遊技盤の取り付け時は、遊技盤の下端側が上端側よりも安定しており、コネクタを壊れにくくすることができる場合がある。
【０２２４】
また本発明は、
６．
１．ないし５．のうちのいずれか１項に記載の遊技台において、
前記第二のコネクタが前記第一のコネクタに押し付けられて接続することで前記第二のコネクタと前記第一のコネクタとが電気的に接続し、
前記第四のコネクタが前記第三のコネクタに押し付けられて接続することで前記第四のコネクタと前記第三のコネクタとが電気的に接続する、
ことを特徴とする遊技台、としたので、
コネクタが複数あることにより、第一のコネクタおよび第二のコネクタへ加わる力を分散させ、第一のコネクタと第二のコネクタの故障を防ぐことができる場合がある。
【０２２５】
また、高さの異なるコネクタを遊技盤に設けることで、壊れやすいコネクタを明確にすることができ、コネクタを全て検査せずとも、壊れやすいコネクタの方だけを確認すれば、コネクタの故障の有無を認識可能であるので、メンテナンス性を向上させることができる場合がある。
【０２２６】
また、遊技盤の取り付け時は、遊技盤の下端側が上端側よりも安定しており、コネクタを壊れにくくすることができる場合がある。
【０２２７】
また本発明は、
７．
１．ないし６．のうちのいずれか１項に記載の遊技台において、
前記遊技盤の前方に遊技領域（例えば遊技領域１２４）が設けられており、
前記後方は、前記前方の逆側である、
ことを特徴とする遊技台、としたので、
遊技領域を広くし、装飾効果を高めることができる場合がある。
【０２２８】
また本発明は、
８．
１．ないし７．のうちのいずれか１項に記載の遊技台において、
前記遊技盤は、第一の基板（例えば基板７０５）を有し、
前記遊技盤は、第二の基板（例えば基板７０４）を有し、
前記第一の基板には、前記第二のコネクタが設けられており、
前記第二の基板には、前記第四のコネクタが設けられている、
ことを特徴とする遊技台、としたので、
一方のコネクタ（例えば、第二のコネクタ）への外部からの衝撃が他方のコネクタ（例えば第四のコネクタ）へ伝わりにくく、コネクタを壊れにくくすることができる場合がある。
【０２２９】
また本発明は、
９．
１．ないし８．のうちのいずれか１項に記載の遊技台において、
前記第二のコネクタにおける前記第一のコネクタとの接続面の長辺の長さは、第一の長さであり、
前記第四のコネクタにおける前記第三のコネクタとの接続面の長辺の長さは、第二の長さであり、
前記第一の長さは、前記第二の長さと異なる、
ことを特徴とする遊技台、としたので、
衝撃が分散され、壊れにくくなる場合がある。
【０２３０】
また本発明は、
１０．
１．ないし９．のうちのいずれか１項に記載の遊技台において、
前記遊技盤は、遊技動作の制御を少なくとも実行可能な主制御部（例えば主制御部３００）を構成する主基板（例えば主基板１５６）を備え、
前記遊技盤は、前記主制御部の指令により制御を少なくとも実行可能な副制御部（例えば第１副制御部４００、第２副制御部５００）を構成する副基板（例えば第１副基板１６０、第２副基板１６４）を備え、
前記第二のコネクタおよび前記第四のコネクタは、前記遊技盤の前記主基板および前記副基板が配置される領域と異なる領域に配置される、
ことを特徴とする遊技台、としたので、
主基板および副基板と異なる領域に第二のコネクタを設けることにより、コネクタの接続不良による主基板や副基板の破損を防ぐことができる場合がある。
【０２３１】
また、遊技台に動作不良が起こった場合は、まず２つのコネクタの接続を確認すればよいため、メンテナンス性を向上させることができる場合がある。
【０２３２】
本発明の態様は、上述した個々の実施例に限定されるものではなく、個々の実施例の各要素のいかなる組合せも本発明に含み、また、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【産業上の利用可能性】
【０２３３】
本発明に係る遊技台は、パチンコ機などに代表される遊技台に適用することができる。
【符号の説明】
【０２３４】
１００  パチンコ機
１０２  外枠
１０４  本体
２００  遊技盤
８００  遊技盤固定具
【図１】
0005478695.tif 000002
【図２】
0005478695.tif 000003
【図３】
0005478695.tif 000004
【図４】
0005478695.tif 000005
【図５】
0005478695.tif 000006
【図６】
0005478695.tif 000007
【図７】
0005478695.tif 000008
【図８】
0005478695.tif 000009
【図９】
0005478695.tif 000010
【図１０】
0005478695.tif 000011
【図１１】
0005478695.tif 000012
【図１２】
0005478695.tif 000013
【図１３】
0005478695.tif 000014
【図１４】
0005478695.tif 000015
【図１５】
0005478695.tif 000016
【図１６】
0005478695.tif 000017
【図１７】
0005478695.tif 000018
【図１８】
0005478695.tif 000019
【図１９】
0005478695.tif 000020
【図２０】
0005478695.tif 000021
【図２１】
0005478695.tif 000022
【図２２】
0005478695.tif 000023
【図２３】
0005478695.tif 000024
【図２４】
0005478695.tif 000025
【図２５】
0005478695.tif 000026
【図２６】
0005478695.tif 000027
【図２７】
0005478695.tif 000028
【図２８】
0005478695.tif 000029
【図２９】
0005478695.tif 000030
【図３０】
0005478695.tif 000031
【図３１】
0005478695.tif 000032
【図３２】
0005478695.tif 000033
【図３３】
0005478695.tif 000034
【図３４】
0005478695.tif 000035
【図３５】
0005478695.tif 000036
【図３６】
0005478695.tif 000037